(57)【特許請求の範囲】
【請求項１】
室内機（９０）と対になって用いられ、被設置対象（Ｇ）の近傍に配置される空気調和装置（１００）の室外機（１）であって、
略直方体型の室外機ケーシング（２）と、
前記室外機ケーシング（２）を前記被設置対象（Ｇ）に固定させる固定手段（４０、５０）と、
を備え、
前記室外機ケーシング（２）は、天面を縁取る各辺のうちの短い辺の延びる方向に対して、前記固定手段（４０、５０）の長手方向が平行となって固定されるように前記天面近傍に形成された被固定構造を有しており、
前記固定手段（４０）は、ボルト（４１）であって、
前記室外機ケーシング（２）の被固定構造は、前記天面を縁取る各辺のうちの短い辺の延びる方向に向けて前記ボルト（４１）を貫通させるための開口（７１、１７１、２７１）を有している、
空気調和装置の室外機（１）。
【請求項２】
前記室外機ケーシング（２）の被固定構造が有している前記開口（７１、７１、１７１、１７２）は、前記天面よりも下に設けられている、
請求項１に記載の空気調和装置の室外機（１）。
【請求項３】
前記室外機ケーシング（２）の被固定構造は、前記天面近傍からさらに前記室外機ケーシング（２）外部に向けて突出した凸部（１７３、１７４、２７３、２７４）を有しており、
前記室外機ケーシング（２）の被固定構造が有している前記開口（１７１、１７２、２７１、２７２）は、前記凸部（１７３、１７４、２７３、２７４）を貫通させるように設けられている、
請求項１に記載の空気調和装置の室外機（１）。
【請求項４】
前記固定手段（５０）は、ワイヤー（５１）であって、
前記室外機ケーシング（２）の被固定構造は、前記天面を縁取る各辺のうちの短い辺の延びる方向に向けて前記天面上を沿わせるワイヤーガイド（８１、３８１）を有している、
請求項１に記載の空気調和装置の室外機（１）。
【請求項５】
前記室外機ケーシング（２）の被固定構造の前記ワイヤーガイド（８１）は、前記天面上に設けられた溝（８１）であり、
前記溝（８１）は、前記天面を縁取る各辺のうちの短い辺の延びる方向に向けて延びるように前記天面に形成されている、
請求項４に記載の空気調和装置の室外機（１）。
【請求項６】
前記室外機ケーシング（２）の被固定構造の前記ワイヤーガイド（３８２、３８３）は、前記天面上に設けられた少なくとも２つの突起（３８２、３８３）であり、
前記突起（３８２、３８３）は、前記天面を縁取る各辺のうちの長い辺の延びる方向に向けて並んで形成されている、
請求項４に記載の空気調和装置の室外機（１）。
【請求項７】
前記固定手段（４０、５０）は、第１固定手段（４１ａ、４２ａ、５１ａ）と、第２固定手段（４１ｂ、４２ｂ、５１ｂ）とを有しており、
前記室外機ケーシング（２）は、天面を縁取る各辺のうちの短い辺の延びる方向に対して前記第１固定手段（４１ａ、４２ａ、５１ａ）の長手方向が平行となって固定されるように前記天面近傍に形成された第１被固定構造と、天面を縁取る各辺のうちの短い辺の延びる方向に対して前記第２固定手段（４１ｂ、４２ｂ、５１ｂ）の長手方向が平行となって固定されるように前記天面近傍に形成された第２被固定構造と、を有している、
請求項１から６のいずれか１項に記載の空気調和装置の室外機（１）。
【発明の詳細な説明】
【技術分野】
【０００１】
本発明は、空気調和装置の室外機に関する。
【背景技術】
【０００２】
従来より、室内機と室外機とがペアとなって用いられる、いわゆるセパレート型空気調和装置が知られている。
【０００３】
例えば、以下に示す特許文献１に記載の室外機の固定構造では、室外機ケーシングと、室外機ケーシングに取り付けられた取付片と、固定用のワイヤーと、を用いて、室外機を固定し、室外機の転倒を防止している。
【特許文献１】特開平１１−１１８２０７号公報
【発明の開示】
【発明が解決しようとする課題】
【０００４】
しかし、上記特許文献１に記載の室外機では、室外機と、室外機の固定具としてのワイヤーだけでなく、さらに、取付片が必要になっており、部品点数が増大している。
【０００５】
本発明は、上述した点に鑑みてなされたものであり、本発明の課題は、部品点数の増大を抑えつつ、室外機の転倒を防止させることが可能な空気調和装置の室外機を提供することにある。
【課題を解決するための手段】
【０００６】
第１発明の空気調和装置の室外機は、室内機と対になって用いられ、被設置対象の近傍に配置される空気調和装置の室外機であって、略直方体型の室外機ケーシングと、室外機ケーシングを被設置対象に固定させる固定手段と、を備えている。室外機ケーシングは、天面を縁取る各辺のうちの短い辺の延びる方向に対して、固定手段の長手方向が平行となって固定されるように天面近傍に形成された被固定構造を有している。固定手段は、ボルトである。室外機ケーシングの被固定構造は、天面を縁取る各辺のうちの短い辺の延びる方向に向けてボルトを貫通させるための開口を有している。
【０００７】
ここでは、室外機ケーシングは、略直方体形状であるため、平面視において、相対的に長い辺と短い辺とが存在する。そして、室外機を水平面上に置くと、室外機ケーシングが略直方体形状を有しているため、平面視において相対的に長い辺が延びている方向に対しては倒れにくい。ところが、平面視において相対的に短い辺が延びている方向に対しては、長い辺が延びている方向の場合と比べて、倒れやすい。
【０００８】
これに対して、第１発明では、短い辺が延びている方向に対して、固定手段の長手方向が平行となって固定手段が室外機ケーシングに固定される被固定構造が採用されている。このため、固定手段が延びている先を、被設置対象に対して固定することで、室外機の転倒を防止することが可能になる。さらに、ここでは、このような被固定構造が、天面近傍位置において採用されている。このため、固定手段が室外機と被設置位置との間に介在して両者を固定することにより、室外機が転倒する場合の支点となるポイントと室外機との接触部分から遠く上方に離れた場所で両者を固定することができる。よって、支点から離れているために、てこの原理により固定手段にかかる負担を抑えることができる。よって、例え地震が発生しても、より確実に転倒を防止することができる。
【０００９】
以上のような構成において、室外機は、固定手段のみを介して被設置位置に固定されることができるため、固定のための部品点数を削減させることができている。
【００１０】
これにより、部品点数の増大を抑えつつ、室外機の転倒を効果的に防止させることが可能になる。
【００１１】
また、この室外機では、天面近傍に設けられた開口にボルトを通すだけで、被設置対象に対して容易に固定させることが可能になる。
【００１２】
第２発明の空気調和装置の室外機は、第１発明の空気調和装置の室外機において、室外機ケーシングの被固定構造が有している開口は、天面よりも下に設けられている。
【００１３】
この室外機では、室外機の天面近傍の室外機ケーシング内部から、天面を縁取る各辺のうち短い辺の延びる方向に向けて開いている開口に、ボルトを貫通させることで、室外機を固定することができる。
【００１４】
これにより、室外機ケーシング内部から延びたボルトで室外機を固定することができるので、室外機自体の固定強度を増大させることができる。
【００１５】
第３発明の空気調和装置の室外機は、第１発明の空気調和装置の室外機において、室外機ケーシングの被固定構造は、天面近傍からさらに室外機ケーシング外部に向けて突出した凸部を有している。室外機ケーシングの被固定構造が有している開口は、凸部を貫通させるように設けられている。
【００１６】
この室外機では、天面近傍に形成された被固定構造は、室外機ケーシング外部に向けて突出して形成された凸部に対して開口が形成された構造となっている。このため、固定手段としてのボルトは、室外機のボルトによる被設置対象に対する固定を行う場合に、室外機ケーシングの内部を通過する必要がない。
【００１７】
このため、室外機ケーシング内部にボルトを通過させるためのスペースを設ける必要がないため、室外機を小型化させることができる。
【００１８】
第４発明の空気調和装置の室外機は、第１発明の空気調和装置の室外機において、固定手段は、ワイヤーである。そして、室外機ケーシングの被固定構造は、天面を縁取る各辺のうちの短い辺の延びる方向に向けて天面上を沿わせるワイヤーガイドを有している。
【００１９】
この室外機では、室外機ケーシングが組み合わされて室外機として完成された後に、完成された室外機を被設置対象に固定させる場合であっても、室外機の天板等の分解を行うことなく、天面上を沿わせるようにワイヤーを張って固定させることが可能になる。
【００２０】
第５発明の空気調和装置の室外機は、第４発明の空気調和装置の室外機において、室外機ケーシングの被固定構造のワイヤーガイドは、天面上に設けられた溝である。そして、溝は、天面を縁取る各辺のうちの短い辺の延びる方向に向けて延びるように天面に形成されている。
【００２１】
この室外機では、室外機ケーシングが組み合わされて室外機として完成された後に、完成された室外機を被設置対象に固定させる場合であっても、室外機の天板等の分解を行うことなく、ワイヤーを溝に対して引っ掛けることが容易であるため、固定作業が楽になる。
【００２２】
第６発明の空気調和装置の室外機は、第４発明の空気調和装置の室外機において、室外機ケーシングの被固定構造のワイヤーガイドは、天面上に設けられた少なくとも２つの突起である。突起は、天面を縁取る各辺のうちの長い辺の延びる方向に向けて並んで形成されている。
【００２３】
この室外機は、室外機ケーシングに対するワイヤーの固定は、室外機ケーシングの天面からさらに上方に突出した２つの突起が設けられることにより可能となっている。このため、室外機ケーシング自体は、ワイヤーを固定するために室外機ケーシングの内側に突出した形状とする必要が無く、内側に突出させる分だけ室外機ケーシングを予め大きく設計するという必要もなく、室外機の大型化を回避させることができる。さらに、室外機ケーシングが組み合わされて室外機として完成された後に、完成された室外機を被設置対象に固定させる場合であっても、室外機の天板等の分解を行うことなく、ワイヤーを溝に対して引っ掛けることが容易であるため、固定作業が楽になる。
【００２４】
これにより、室外機の大型化を回避させつつ、固定作業を楽にすることができる。
【００２５】
第７発明の空気調和装置の室外機は、第１発明から第６発明のいずれかの空気調和装置の室外機において、固定手段は、第１固定手段と、第２固定手段とを有している。室外機ケーシングは、天面を縁取る各辺のうちの短い辺の延びる方向に対して第１固定手段の長手方向が平行となって固定されるように天面近傍に形成された第１被固定構造と、天面を縁取る各辺のうちの短い辺の延びる方向に対して第２固定手段の長手方向が平行となって固定されるように天面近傍に形成された第２被固定構造と、を有している。
【００２６】
ここでは、平面視における室外機の長手方向に並ぶように固定手段が２つ設けられている。これにより、室外機の平面視における回動をより効果的に規制することができ、固定安定性を向上させることができる。
【発明の効果】
【００２７】
第１発明では、部品点数の増大を抑えつつ、室外機の転倒を効果的に防止させることが可能になる。また、天面近傍に設けられた開口にボルトを通すだけで、被設置対象に対して容易に固定させることが可能になる。
【００２８】
第２発明では、室外機ケーシング内部から延びたボルトで室外機を固定することができるので、室外機自体の固定強度を増大させることができる。
【００２９】
第３発明では、室外機ケーシング内部にボルトを通過させるためのスペースを設ける必要がないため、室外機を小型化させることができる。
【００３０】
第４発明では、室外機ケーシングが組み合わされて室外機として完成された後に、完成された室外機を被設置対象に固定させる場合であっても、室外機を分解することなく、天面上を沿わせるようにワイヤーを張って固定させることが可能になる。
【００３１】
第５発明では、室外機ケーシングが組み合わされて室外機として完成された後に、完成された室外機を被設置対象に固定させる場合であっても、室外機の天板等の分解を行うことなく、ワイヤーを溝に対して引っ掛けることが容易であるため、固定作業が楽になる。
【００３２】
第６発明では、室外機の大型化を回避させつつ、固定作業を楽にすることができる。
【００３３】
第７発明では、室外機の平面視における回動をより効果的に規制することができ、固定安定性を向上させることができる。
【発明を実施するための最良の形態】
【００３４】
＜第１実施形態＞
以下、図面に基づいて、本発明にかかる空気調和装置の室外機の実施形態について説明する。
【００３５】
図１は、本発明の一実施形態にかかる空気調和装置１００の概略構成図である。
【００３６】
空気調和装置１００は、室外機１と室内機９０とが分離された形式のものであり、１台の室外機１に対して、複数台の室内機９１、９２、９３が接続されている。
【００３７】
この室外機１は、ビル等の屋上やベランダ等の屋外設置位置Ｇに設置される。
＜室外機１の概略構成＞
図２は、本発明の一実施形態にかかる空気調和装置の室外機１を示す斜視図（機械室Ｓ２内を点線で図示）である。
【００３８】
図３は、室外機１の平面図（送風機室Ｓ１及び機械室Ｓ２内を点線で図示）である。
【００３９】
図４は、図３のＩ−Ｉ断面図である。
【００４０】
尚、以下の説明において、「上」、「下」、「左」、「右」、「前」、「後」、「正面」、「背面」は、特にことわりのない限り、図２に示される室外機１を正面（前面）側から見た場合の方向を意味するものとする。
【００４１】
室外機１は、本実施形態において、冷媒連絡管９９を介して室内機９０に接続されることによって空気調和装置の一種であるセパレート型で、マルチタイプの空気調和装置１００を構成するものである。
【００４２】
室外機１は、主として、室外機ケーシング２と、その内部構成である冷媒回路構成部品（後述）と、送風ファン３、４と、電装品としての電装品ユニット５及び端子台６とを有している。
（室外機ケーシング２）
室外機ケーシング２は、図２および図３に示すように、主として、略直方体型のケーシング本体２１と、天板２２とを有しており、その内部に冷媒回路構成部品（後述）、送風ファン３、４、電装品ユニット５、及び、端子台６等を収容する空間Ｓが形成されている。
【００４３】
ケーシング本体２１は、主として、底板２３と、底板２３の外周縁から上方に延びる側板としての左前板２４ａ、後板２４ｂ、右前板２５及び右側板２４ｃ、左側板２４ｄとを有しており、その上面が開口している。
【００４４】
底板２３は、ケーシング本体２１の底面部分を構成する横長の略長方形状の金属製の板状部材である。底板２３の外周縁は、上方に折り曲げられている。底板２３の外面には、現地据付面に固定される２つの固定脚２７が設けられている。
【００４５】
左前板２４ａは、ケーシング本体２１の左前面部分及び左側面の前側部分を構成する金属製の板状部材であり、その下部が底板２３にネジ等により固定されている。左前板２４ａには、送風ファン３、４によって室外機ケーシング２の背面側及び左側面側から内部に取り込まれた空気を外部に吹き出すための吹出口２４ｇ、２４ｈが設けられている。ここで、吹出口２４ｇ、２４ｈは、上下に並んで２つ設けられている。また、吹出口２４ｇ、２４ｈには、それぞれ、ファングリル２８ａ、２８ｂが設けられている。
【００４６】
右前板２５は、ケーシング本体２１の右前面部分及び右側面の前側部分を構成する金属製の板状部材であり、その下部が底板２３にネジ等により固定されている。また、右前板２５は、その左縁部が左前板２４ａの右縁部にネジ等により固定されている。
【００４７】
右側板２４ｃは、ケーシング本体２１の右側面の後側部分及び背面の右側部分を構成する金属製の板状部材であり、その下部が底板２３にネジ等により固定されている。
【００４８】
天板２２は、室外機１の天面部分を構成する横長の略長方形状の金属製の板状部材である。この天板２２は、ケーシング本体２１の上面の開口を覆う天板本体部２２ｘと、天板本体部２２ｘの外周縁から下方に延びて側板としての左前板２４ａおよび右前板２５と重なる前方天板縁部２２ａ、後板２４ｂと重なる後方天板縁部２２ｂ、右側板２４ｃと重なる右方天板縁部２２ｃ、左側板２４ｄと重なる左方天板縁部２２ｄと、をそれぞれ有している。ここで、「重なる」とは、室外機ケーシング２を外側から見た際に（すなわち、正面視、背面視、左側面視、右側面視）、重なって配置されることをいう。
（室外機１の内部構成）
上述した室外機ケーシング２内には、図２および図３に示すように、仕切板２９が設けられている。
【００４９】
仕切板２９は、底板２３上に配置される鉛直に延びる金属製の板状部材であり、室外機ケーシング２内の空間Ｓを左右に分割している。ここで、仕切板２９によって分割された空間の一方（ここでは、仕切板２９の左側の空間）を送風機室Ｓ１とし、仕切板２９によって分割された空間の他方（ここでは、仕切板２９の右側の空間）を機械室Ｓ２とする。
【００５０】
そして、この室外機ケーシング２では、左前板２４ａが送風機室Ｓ１に面するように配置されており、右前板２５が機械室Ｓ２に面するように配置されており、右前板２５を取り外すことによって、機械室Ｓ２の内部が見えるようになっている（図２参照）。
【００５１】
尚、右前板２５は、左前板２４ａと一体の部材であってもよく、この場合には、これを取り外すことによって、送風機室Ｓ１及び機械室Ｓ２の内部が見えることになる。また、ここでは、室外機１を正面から見て左側に送風機室Ｓ１が配置され、右側に機械室Ｓ２が配置されているが、左右逆の配置であってもよい。
【００５２】
また、室外機ケーシング２の送風機室Ｓ１内には、図３に示すように、冷媒回路構成部品の１つとしての熱交換器７と送風ファン３、４とが配置されている。
【００５３】
ここで、熱交換器７は、平面視Ｌ字形状を有しており、室外機ケーシング２の左側面及び背面に沿うように配置されている。熱交換器７は、例えば、伝熱管と多数のフィンとにより構成されたフィン・アンド・チューブ型熱交換器からなる。
【００５４】
また、送風ファン３、４は、例えば、ファンモータ３ａ、４ａによってそれぞれ駆動されるプロペラファンから構成されており、熱交換器７の前側において、吹出口２４ｇ、２４ｈにそれぞれ対向し、かつ、上下に並んで配置されている。この送風段３，４は、室外機ケーシング２の左側面及び背面に形成された吸入口（図示せず）を通じて送風機室Ｓ１内に空気を取り込み、熱交換器７を通過させた後に、室外機ケーシング２の前面に形成された吹出口２４ｇ、２４ｈから吹き出すように機能する送風機である。
【００５５】
尚、この室外機１では、２台の送風ファン３、４を有しているが、これに限定されるものではなく、例えば、１台の送風ファンを有する場合のように、２台以外の台数の送風ファンを有していてもよい。
【００５６】
また、室外機ケーシング２の機械室Ｓ２内には、圧縮機８等の機器、弁及び冷媒管等の各種冷媒回路構成部品と、電装品ユニット５及び端子台６とが配置されている。
【００５７】
ここで、圧縮機８は、圧縮機モータ（図示せず）が円筒形状のハウジング内に内蔵された密閉式圧縮機である。この圧縮機８は、熱交換器７を除く冷媒回路構成部品（図示せず）や電装品ユニット５及び端子台６を配置する空間を上方に空けた状態で、機械室Ｓ２の平面視略中央に配置されている。
【００５８】
電装品ユニット５は、主として、圧縮機モータ（図示せず）やファンモータ３ａ、４ａのような室外機１を構成する各部の動作の制御等を行うための制御基板等を有するものである。この電装品ユニット５は、圧縮機８の上側において、仕切板２９に対向するように配置されている。
【００５９】
端子台６は、室外機１の外部から引き込まれる電源線等を接続するための端子等を有するものであり、電装品ユニット５の下側において、右前板２５に対向するように配置されている。
＜室外機固定構造＞
上述の室外機１は、ボルト固定機構４０によって、屋外設置位置Ｇの壁面に固定される。
【００６０】
ここで、ボルト固定機構４０は、六角ボルト４１と、ナット４２とから構成されている。六角ボルト４１は、頭の部分が六角柱形状を有しており、六角柱の底面から円錐が延びて、途中から他端までネジを構成している。ナット４２は、この六角ボルト４１と対になって用いられる。
【００６１】
図４に、図３に示すＩ―Ｉ断面図において、室外機１に対して六角ボルト４１およびナット４２が固定された状態の側面図を示す。
【００６２】
このボルト固定機構３０は、天板２２の平面視において短い辺が延びている方向に対して、六角ボルト４１の長手方向が平行となって、六角ボルト４１が室外機ケーシング２に固定される構造となっている。
【００６３】
ここで、上述したように、前方天板縁部２２ａと左前板２４ａとが室外機１の前面側において前後方向に重なっており、後方天板縁部２２ｂと後板２４ｂとが室外機１の背面側において前後方向に重なっている。
【００６４】
そして、前方天板縁部２２ａと左前板２４ａとが重なる位置においてそれぞれの厚み方向に貫通するように、前方天板縁部２２ａには開口７２ａが、左前板２４ａには開口７７ａがそれぞれ形成されている。
【００６５】
また、後方天板縁部２２ｂと後板２４ｂとが重なる位置においてそれぞれの厚み方向に貫通するように、後方天板縁部２２ｂには開口７１ａが、後板２４ｂには開口７６ａがそれぞれ形成されている。
【００６６】
そして、六角ボルト４１は、室外機１の天板２２の正面側から、開口７２ａ、７７ａ、７６ａ、７１ａの順に挿入される。六角ボルト４１の六角柱が形成された頭側とは反対側の他端からは、ナット４２がねじ込まれ、室外機１の天板２２を前後方向から挟み込むことになる。
【００６７】
さらに、図５の室外機１の概略正面図に示すように、室外機１の室外機ケーシング２の天板２２の中央近傍において、左右の２カ所に、ボルト固定構造４０が設けられている。
【００６８】
図５中、右側のボルト固定構造４０（４１ａ，４２ａ）では、六角ボルト４１ａおよびナット４２ａが、開口７１ａ、７６ａ、７２ａ、７７ａを通じて固定されることで、室外機１に対して六角ボルト４１ａが固定される。
【００６９】
図５中、左側のボルト固定構造４０（４１ｂ，４２ｂ）では、六角ボルト４１ｂおよびナット４２ｂが、開口７１ｂ、７６ｂ、７２ｂ、７７ｂを通じて固定されることで、室外機１に対して六角ボルト４１ｂが固定される。
【００７０】
そして、図６の室外機１の概略固定状態側面図に示すように、六角ボルト４１ａは、屋外設置位置Ｇの壁面に対してねじ込まれることで、屋外設置位置Ｇに対して固定される。なお、図７の天板２２および六角ボルト４１との斜視図に示すように、六角ボルト４１ｂについても同様に、天板２２を貫通し、図６に示す六角ボルト４１ａと同様に、屋外設置位置Ｇの壁面に対してねじ込まれて固定される。
【００７１】
このようにして、室外機１に対して固定された六角ボルト４１が屋外設置位置Ｇに対して固定されることで、室外機１が屋外設置位置Ｇに固定される。
＜第１実施形態に係る室外機１の特徴＞
（１）
第１実施形態の室外機１は、室外機ケーシング２は、略直方体形状であるため、平面視において、相対的に長い辺と短い辺とが存在する。そして、室外機１を水平面上に置くと、室外機ケーシング２が略直方体形状を有しているため、平面視において相対的に長い辺が延びている方向に対しては倒れにくい。ところが、平面視において相対的に短い辺が延びている方向に対しては、長い辺が延びている方向の場合と比べて、倒れやすい。
【００７２】
しかし、第１実施形態の室外機１では、天板２２の平面視において短い辺が延びている方向に対して、六角ボルト４１の長手方向が平行となって六角ボルト４１が室外機ケーシング２に固定されるボルト固定構造４０が採用されている。
【００７３】
このため、六角ボルト４１が延びている先を、屋外設置位置Ｇの壁面に対してねじり込むようにして固定することで、室外機１の転倒を防止することができる。
【００７４】
さらに、この固定構造において、室外機ケーシング２に対してボルト４１を貫通させるための開口７１ａ、７１ｂ、７２ａ、７２ｂは、下端から離れた上方に配置されている天板２２に形成されている。このため、ボルト４１が室外機１と屋外設置位置Ｇの壁面との間に介在して両者を固定することにより、室外機１が転倒する場合の支点Ｒ（図６参照）となるポイントと室外機１との接触部分から遠く上方に離れた天板２２位置において室外機１を屋外設置位置Ｇの壁面に対して固定することができる。よって、支点Ｒ（図６参照）から離れているために、てこの原理により六角ボルト４１にかかる負担が抑えられ、仮に、地震等によって室外機１が支点Ｒを中心としてふらつきそうになったとしても、より確実に転倒を防止することができる。
【００７５】
以上のような構成において、室外機１は、六角ボルト４１のみを介して屋外設置位置Ｇの壁面に固定させることができるため、固定のために要する部品点数が削減されている。
【００７６】
これにより、部品点数の増大を抑えつつ、室外機１の転倒を効果的に防止させることができるようになっている。
（２）
第１実施形態の室外機１は、室外機ケーシング２内部を通じた六角ボルト４１によって屋外設置位置Ｇの壁面に対して室外機１を固定することができる。
【００７７】
ここで、仮に、室外機ケーシング２に対して固定用の工具を取り付けて、屋外設置位置Ｇの壁面に対して固定する場合には、固定用の工具と室外機ケーシング２と工具との固定安定性や、工具と六角ボルト４１ａとの固定安定性等の固定が不安定となる要因が生じてしまう。
【００７８】
これに対して、上記第１実施形態の室外機１は、このような固定が不安定となる要因自体が無く、室外機１を直接的に屋外設置位置Ｇの壁面に対して固定しているため、固定強度を増大させることができている。
（３）
第１実施形態の室外機１は、平面視における室外機１の長手方向に六角ボルト４１ａ、４１ｂが並ぶようにして、ボルト固定構造４０が２箇所において採用されている。これにより、室外機１の平面視における左右端部が上下することによる回動を、より効果的に規制することができ、固定安定性を向上させることができている。
（４）
第１実施形態の室外機１の固定には、六角ボルト４１ａについては、開口７１ａ、７６ａ、７２ａ、７７ａを通すだけで、六角ボルト４１ｂについては、開口７１ｂ、７６ｂ、７２ｂ、７７ｂを通すだけで、容易に室外機１を屋外設置位置Ｇの壁面に対して固定することができる。
【００７９】
六角ボルト４１は、前方天板縁部２２ａおよび後方天板縁部２２ｂだけでなく、前方天板縁部２２ａおよび後方天板縁部２２ｂと、左前板２４ａおよび後板２４ｂと、の両方を貫通しているため、よりいっそう固定強度が増大されている。
＜第１実施形態の変形例＞
以上、本発明の第１実施形態について図面に基づいて説明したが、具体的な構成は、これらの実施形態に限られるものではなく、発明の要旨を逸脱しない範囲で変更可能である。
（Ａ）
上述の第１実施形態では、六角ボルト４１を天板２２の内部を通過させて固定する場合を例に挙げて説明した。
【００８０】
しかし、本発明はこれに限られるものではなく、例えば、図８に示すように、天板２２の右方天板縁部２２ｃからさらに右側に突出させた凸部（前後方向に２つ並んでいる）であって右前凸部１７４ａおよび右後凸部１７３ａと、左方天板縁部２２ｄからさらに左側に吐出させた凸部（こちらも前後方向に２つ並んでいる）であって左前凸部１７４ｂおよび左後凸部１７３ｂと、が設けられた構成であってもよい。
【００８１】
そして、右前凸部１７４ａには前後方向に貫通した開口１７２ａが形成され、右後凸部１７３ａには前後方向に貫通しており開口１７２ａと開口軸を同一とする開口１７１ａが形成されている。
【００８２】
なお、左側についても同様に、左前凸部１７４ｂには前後方向に貫通した開口１７２ｂが形成され、左後凸部１７３ｂには前後方向に貫通しており開口１７２ｂと開口軸を同一とする開口１７１ｂが形成されている。
【００８３】
そして、六角ボルト４１ａとナット４２ａとは、開口１７２ａおよび開口１７１ａに対して固定される。
【００８４】
また、六角ボルト４１ｂとナット４２ｂとは、開口１７２ｂおよび開口１７１ｂに対して固定される。
【００８５】
このような形態であっても、上記実施形態と同様の効果を奏することができ、さらに、室外機ケーシング２内部に六角ボルト４１を通過させるためのスペースを設ける必要がないため、室外機１を小型化させることができ、高さ方向の大型化も回避できる。
（Ｂ）
また、本発明はこれに限られるものではなく、例えば、図９に示すように、天板２２の天板本体部２２Ｘの上面略右寄りの位置からさらに上方に突出させた凸部（前後方向に２つ並んでいる）であって右前凸部２７４ａおよび右後凸部２７３ａと、天板本体部２２Ｘの上面略左寄りの位置からさらに上方に吐出させた凸部（こちらも前後方向に２つ並んでいる）であって左前凸部２７４ｂおよび左後凸部２７３ｂと、が設けられた構成であってもよい。
【００８６】
そして、右前凸部２７４ａには前後方向に貫通した開口２７２ａが形成され、右後凸部２７３ａには前後方向に貫通しており開口２７２ａと開口軸を同一とする開口２７１ａが形成されている。
【００８７】
なお、左側についても同様に、左前凸部２７４ｂには前後方向に貫通した開口２７２ｂが形成され、左後凸部２７３ｂには前後方向に貫通しており開口２７２ｂと開口軸を同一とする開口２７１ｂが形成されている。
【００８８】
そして、六角ボルト４１ａとナット４２ａとは、開口２７２ａおよび開口２７１ａに対して固定される。
【００８９】
また、六角ボルト４１ｂとナット４２ｂとは、開口２７２ｂおよび開口２７１ｂに対して固定される。
【００９０】
このような形態であっても、上記実施形態と同様の効果を奏することができ、さらに、室外機ケーシング２内部に六角ボルト４１を通過させるためのスペースを設ける必要がないため、室外機１を小型化させることができる。
（Ｃ）
上述の実施形態では、六角ボルト４１によるボルト固定構造４０を２つ並列させて設けた場合を例に挙げて説明した。
【００９１】
しかし、本発明はこれに限られるものではなく、例えば、ボルト固定構造４０は、天板２２の略中央近傍において１つだけ設けた場合であってもよい。
（Ｄ）
上述の実施形態では、ボルト固定機構４０では、六角ボルト４１とナット４２との両方を用いて室外機１を屋外設置位置Ｇの壁面に対して固定する場合を例に挙げて説明した。
【００９２】
しかし、本発明はこれに限られるものではなく、例えば、ナットを用いることなく、六角ボルト４１ａ、４１ｂのネジの部分を、屋外設置位置Ｇの壁面にねじ込むことによって、室外機１を固定するようにしてもよい。
＜第２実施形態＞
第２実施形態の空気調和装置の室外機１は、内部構造については、第１実施形態の室外機１の内部構造とほぼ同様であり説明を省略する。
【００９３】
以下、第１実施形態の室外機１との相違点についてのみ、図１０の固定状態側面図および図１１の固定状態正面図を参照しながら説明する。
【００９４】
第２実施形態の室外機１は、ワイヤー固定構造５０として、ワイヤー５１ａ、５１ｂによって、室外機１を屋外設置位置Ｇに固定させることで、転倒を防止させている。
【００９５】
ここで、室外機１の天板２２は、図１２に示すように、ワイヤーガイド８１ａ、８１ｂが設けられている。このワイヤーガイド８１ａとワイヤーガイド８１ｂとは、天板２２の天板本体部２２ｘの上面において前後方向に延びるようにして、設けられた溝である。溝の幅は、ワイヤー５１ａ、５１ｂに対応するようになっている。そして、ワイヤーガイド８１ａとワイヤーガイド８１ｂとは、天板本体部２２ｘの上面において、左右の位置に設けられて、互いに略平行に位置している。
＜第２実施形態の室外機の特徴＞
（１）
第２実施形態に係る室外機１では、室外機ケーシング２が組み合わされて室外機１として完成された後に、完成された室外機１を屋外設置位置Ｇに固定させる場合であっても、室外機１を分解することなく、天板２２のワイヤーガイド８１ａ、８１ｂの溝を沿わせるようにワイヤー５１ａ、５１ｂを張って固定させることができるようになる。
【００９６】
ここで、室外機１の転倒としては、平面視において薄い方向である前後方向に向けて支点Ｒを中心に転倒しやすいが、ここでは、ワイヤー５１ａ、５１ｂが屋外設置位置Ｇに対して室外機１の支点Ｒから遠い上方の天板２２のワイヤーガイド８１ａ、８１ｂで室外機１を押さえ込むようにして固定している。これにより、室外機１の転倒を効果的に防止することができている。
（２）
第２実施形態に係る室外機１では、完成された室外機１を屋外設置位置Ｇにおいて固定させる場合であっても、室外機１の天板２２の分解を行う必要がなく、ワイヤー５１ａ、５１ｂをワイヤーガイド８１ａ、８１ｂとしての溝に引っ掛けることで、容易に固定作業を行うことができる。
（３）
第２実施形態に係る室外機１では、平面視における室外機１の長手方向に並ぶようにワイヤー固定構造５０が２つ採用されている。これにより、室外機１の平面視における回動をより効果的に規制することができ、固定安定性を向上させることができている。
＜第２実施形態の変形例＞
以上、本発明の第２実施形態について図面に基づいて説明したが、具体的な構成は、これらの実施形態に限られるものではなく、発明の要旨を逸脱しない範囲で変更可能である。
（Ａ）
上述の第２実施形態では、天板２２の上面において溝としてのワイヤーガイド８１ａ、８１ｂが形成された場合を例に挙げて説明した。
【００９７】
しかし、本発明はこれに限られるものではなく、例えば、図１３に示すように、天板２２の天板本体部２２ｘの上面からさらに上方に突出した一対の突起が２つ設けられている構成であってもよい。ここでは、図１３に示すように、正面視右寄りに形成された右第１突起３８２ａと右第２突起３８３ａとによって囲まれた部分に、ワイヤー５１ａを引っ掛けるようにすることができる。また、左側についても同様に、正面視左寄りに形成された左第１突起３８２ｂと左第２突起３８３ｂとによって囲まれた部分に、ワイヤー５１ｂを引っ掛けるようにすることができる。
【００９８】
この場合であっても上記第２実施形態と同様の固定安定性効果を得られるだけでなく、
さらに、溝を形成させるために天板２２を掘り下げることで室外機１の内部が狭くなってしまうことを回避することができている。
（Ｂ）
上述の実施形態では、天板２２の上面において溝としてのワイヤーガイド８１ａ、８１ｂが形成された場合を例に挙げて説明した。
【００９９】
しかし、本発明はこれに限られるものではなく、例えば、図１４に示すように、天板２２の天板本体部２２ｘの上面からさらに上方に部分的に突出した一対の突起が２つ設けられている構成であってもよい。ここでは、図１４に示すように、正面視右寄りに形成された右第１突起４８２ａと右第２突起４８３ａとによって囲まれた部分に、ワイヤー５１ａを引っ掛けるようにすることができる。また、左側についても同様に、正面視左寄りに形成された左第１突起４８２ｂと左第２突起４８３ｂとによって囲まれた部分に、ワイヤー５１ｂを引っ掛けるようにすることができる。ここで、右第１突起４８２ａ、右第２突起４８３ａ、左第１突起４８２ｂおよび左第２突起４８３ｂは、いずれも、室外機１の天板２２上で、前後方向における略中央近傍のみが上方に突起するように形成されている。
【０１００】
この場合であっても上記第２実施形態と同様の固定安定性効果を得られるだけでなく、
さらに、溝を形成させるために天板２２を掘り下げることで室外機１の内部が狭くなってしまうことを回避することができている。
（Ｃ）
上述の実施形態では、天板２２の上面において溝としてのワイヤーガイド８１ａ、８１ｂが形成された場合を例に挙げて説明した。
【０１０１】
しかし、本発明はこれに限られるものではなく、例えば、図１５に示すように、天板２２の天板本体部２２ｘの上面からさらに上方に部分的に突出した一対の突起が２つ設けられている構成であってもよい。ここでは、図１５に示すように、正面視右寄りに形成された右第１突起５８２ａと右第２突起５８３ａとによって囲まれた部分に、ワイヤー５１ａを引っ掛けるようにすることができる。また、左側についても同様に、正面視左寄りに形成された左第１突起５８２ｂと左第２突起５８３ｂとによって囲まれた部分に、ワイヤー５１ｂを引っ掛けるようにすることができる。ここで、右第１突起５８２ａ、右第２突起５８３ａ、左第１突起５８２ｂおよび左第２突起５８３ｂは、いずれも、室外機１の天板２２上で、前後方向における略中央近傍を除いた前端部および後端部においてのみ上方に突起するように形成されている。
【０１０２】
この場合であっても上記第２実施形態と同様の固定安定性効果を得られるだけでなく、
さらに、溝を形成させるために天板２２を掘り下げることで室外機１の内部が狭くなってしまうことを回避することができている。
（Ｄ）
第２実施形態および上記変形例（Ａ）〜（Ｃ）において、ワイヤー固定構造５０は、室外機１の中央近傍において１つだけ設けた場合であってもよい。
【産業上の利用可能性】
【０１０３】
本発明を利用すれば、部品点数の増大を抑えつつ、室外機の転倒を防止させることが可能になるため、セパレートタイプの空気調和装置の室外機に対して適用することができる。
【図面の簡単な説明】
【０１０４】
【図１】本発明の第１実施形態に係る空気調和装置の概略図である。
【図２】空気調和装置の室外機を示す斜視図である。
【図３】室外機の平面図である。
【図４】ボルトが挿入された状態における図３のＩ−Ｉ断面図である。
【図５】室外機の天板の開口位置を示す概略正面図である。
【図６】室外機のボルト固定の様子を示す側面図である。
【図７】室外機の天板およびボルトの斜視図である。
【図８】第１実施形態の変形例（Ａ）に係る天板およびボルトの斜視図である。
【図９】第１実施形態の変形例（Ｂ）に係る天板およびボルトの斜視図である。
【図１０】第２実施形態の室外機の固定状態を示す側面図である。
【図１１】室外機の固定状態を示す正面図である。
【図１２】室外機の天板およびボルトの斜視図である。
【図１３】第２実施形態の変形例（Ａ）に係る天板およびボルトの斜視図である。
【図１４】第２実施形態の変形例（Ｂ）に係る天板およびボルトの斜視図である。
【図１５】第２実施形態の変形例（Ｃ）に係る天板およびボルトの斜視図である。
【符号の説明】
【０１０５】
１  室外機
２  室外機ケーシング
２２  天板
４０  ボルトおよびナットによる固定構造（固定手段）
４１ａ、４１ｂ  六角ボルト（第１固定手段、第２固定手段）
４２ａ、４２ｂ  ナット（第１固定手段、第２固定手段）
５０  ワイヤーによる固定構造（固定手段）
５１ａ、５１ｂ  ワイヤー（第１固定手段、第２固定手段）
７１  開口
８１  ワイヤーガイド
９０  室内機
１００  空気調和装置
１７１  開口
１７２  凸部
２７１  開口
２７２  凸部
３８１  ワイヤーガイド、突起
３８２  ワイヤーガイド、突起
Ｇ  屋外設置位置（被設置対象）
【図１】
0005104324.tif 000002
【図２】
0005104324.tif 000003
【図３】
0005104324.tif 000004
【図４】
0005104324.tif 000005
【図５】
0005104324.tif 000006
【図６】
0005104324.tif 000007
【図７】
0005104324.tif 000008
【図８】
0005104324.tif 000009
【図９】
0005104324.tif 000010
【図１０】
0005104324.tif 000011
【図１１】
0005104324.tif 000012
【図１２】
0005104324.tif 000013
【図１３】
0005104324.tif 000014
【図１４】
0005104324.tif 000015
【図１５】
0005104324.tif 000016